(57)【要約】【課題】使い勝手が向上したストラップのパッド構造等を提供する。【解決手段】ストラップのパッド構造（５０）を、ストラップ（１０）使用時に使用者の身体に対向して配置される基部（２０ａ）と、前記基部に対して第１の方向（Ｂ）に延びて形成された複数の毛状部材（６２）を含む第１の植毛部（６０）と、前記基部に対して前記第１の方向とは異なる第２の方向（Ａ）に延びた複数の毛状部材（７２）を含む第２の植毛部（７０）とを備える構成とした。【選択図】図２
2009050608.tif 000002
【特許請求の範囲】
【請求項１】
ストラップ使用時に使用者の身体に対向して配置される基部と、
前記基部に対して第１の方向に延びて形成された複数の毛状部材を含む第１の植毛部と、
前記基部に対して前記第１の方向とは異なる第２の方向に延びた複数の毛状部材を含む第２の植毛部と
を備えるストラップのパッド構造。
【請求項２】
請求項１に記載のストラップのパッド構造において、
前記第１の方向及び前記第２の方向は、それぞれ前記ストラップの幅方向に略平行な方向であること
を特徴とするストラップのパッド構造。
【請求項３】
請求項１又は請求項２に記載のストラップのパッド構造において、
前記第１の植毛部の面積と前記第２の植毛部の面積とが略同じであること
を特徴とするストラップのパッド構造。
【請求項４】
請求項１から請求項３までの何れか１項に記載のストラップのパッド構造において、
前記第１の植毛部と前記第２の植毛部とが略同じ形状あること
を特徴とするストラップのパッド構造。
【請求項５】
請求項１から請求項４までの何れか１項に記載のストラップのパッド構造において、
前記第１の植毛部及び前記第２の植毛部は、それぞれストラップの長手方向に平行な帯状に形成され、前記ストラップの幅方向中心からみて前記ストラップの幅方向の一方側の領域に第１の植毛部が配置され、他方側の領域に第２の植毛部が配置されること
を特徴とするストラップのパッド構造。
【請求項６】
請求項５に記載のストラップのパッド構造において、
前記第１の方向及び前記第２の方向は、それぞれ前記ストラップの幅方向中心を向いていること
を特徴とするストラップのパッド構造。
【請求項７】
請求項１から請求項４までの何れか１項に記載のストラップのパッド構造において、
前記第１の植毛部と前記第２の植毛部とが、前記ストラップの長手方向に沿って配置されたこと
を特徴とするストラップのパッド構造。
【請求項８】
請求項７に記載のストラップのパッド構造において、
前記第１の植毛部と前記第２の植毛部との少なくとも一方は、複数が設けられ、
前記第１の植毛部及び前記第２の植毛部は、前記ストラップの長手方向に沿って交互に配置されること
を特徴とするストラップのパッド構造。
【請求項９】
請求項１から請求項８までの何れか１項に記載のストラップのパッド構造において、
前記基部は、前記ストラップに設けられ、
前記第１の植毛部及び前記第２の植毛部は、前記基部に対して着脱可能に設けられたこと
を特徴とするストラップのパッド構造。
【請求項１０】
請求項１から請求項９までの何れか１項に記載のストラップのパッド構造において、
前記ストラップは、帯状に形成された本体部を備え、
前記第１の植毛部及び前記第２の植毛部は、前記基部に支持され、
前記基部は、前記本体部に対して着脱可能に設けられたこと
を特徴とするストラップのパッド構造。
【請求項１１】
ストラップ使用時に使用者の身体に対向して配置される基部と、
所定の方向に延びて形成された複数の毛状部材を備えた植毛部と
を含むストラップのパッド構造であって、
前記植毛部は、複数が用意されるとともに、その一部の前記毛状部材の延びる向きを第１の方向に向け、かつ、その他部の前記毛状部材の延びる向きを前記第１の方向とは異なる第２の方向に向けた状態で前記基部に対して着脱可能なこと
を特徴とするストラップのパッド構造。
【請求項１２】
請求項１１に記載のストラップにおいて、
前記第１の方向及び前記第２の方向は、それぞれ前記ストラップの幅方向に略平行な方向であること
を特徴とするストラップのパッド構造。
【請求項１３】
ストラップの長手方向中間部分に設けられるストラップ用パッドであって、
請求項１から請求項１２までの何れか１項に記載のストラップのパッド構造を備えること
を特徴とするストラップ用パッド。
【請求項１４】
請求項１から請求項１２までの何れか１項に記載のストラップのパッド構造を備えること
を特徴とするストラップ。
【発明の詳細な説明】
【技術分野】
【０００１】
本発明は、ストラップのパッド構造、ストラップ用パッド及びストラップに関するものである。
【背景技術】
【０００２】
従来、ストラップとしては、肩当て部材（パッド）に弾力性を有しかつエッジが設けられた滑り止め材を設けたものが知られており、このストラップをカメラに用いることが提案されている（例えば、特許文献１参照）。
【特許文献１】ＷＯ９８／１６１３１号公報
【発明の開示】
【発明が解決しようとする課題】
【０００３】
上記従来のストラップを用いて、例えば、カメラを肩から吊り下げた場合、撮影に備えてカメラを移動する際にも滑り止め機能が発揮されてしまい、使い勝手が悪い。
本発明の課題は、使い勝手が向上したストラップのパッド構造、ストラップ用パッド及びストラップを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、ストラップ（１０）使用時に使用者（２）の身体に対向して配置される基部（２０ａ）と、前記基部に対して第１の方向（Ｂ）に延びて形成された複数の毛状部材（６２）を含む第１の植毛部（６０）と、前記基部に対して前記第１の方向とは異なる第２の方向（Ａ）に延びた複数の毛状部材（７２）を含む第２の植毛部（７０）とを備えるストラップのパッド構造（５０）である。
【０００５】
請求項２の発明は、請求項１に記載のストラップのパッド構造において、前記第１の方向（Ｂ）及び前記第２の方向（Ａ）は、それぞれ前記ストラップ（１０）の幅方向に略平行な方向であることを特徴とするストラップのパッド構造（５０）である。
請求項３の発明は、請求項１又は請求項２に記載のストラップのパッド構造において、前記第１の植毛部（６０）の面積と前記第２の植毛部（７０）の面積とが略同じであることを特徴とするストラップのパッド構造（５０）である。
請求項４の発明は、請求項１から請求項３までの何れか１項に記載のストラップのパッド構造において、前記第１の植毛部（６０）と前記第２の植毛部（７０）とが略同じ形状あることを特徴とするストラップのパッド構造（５０）である。
【０００６】
請求項５の発明は、請求項１から請求項４までの何れか１項に記載のストラップのパッド構造において、前記第１の植毛部（６０）及び前記第２の植毛部（７０）は、それぞれストラップ（１０）の長手方向に平行な帯状に形成され、前記ストラップの幅方向中心（ＣＬ）からみて前記ストラップの幅方向の一方側の領域に第１の植毛部が配置され、他方側の領域に第２の植毛部が配置されることを特徴とするストラップのパッド構造（５０）である。
請求項６の発明は、請求項５に記載のストラップのパッド構造において、前記第１の方向（Ｂ）及び前記第２の方向（Ａ）は、それぞれ前記ストラップ（１０）の幅方向中心を向いていることを特徴とするストラップのパッド構造（５０）である。
請求項７の発明は、請求項１から請求項４までの何れか１項に記載のストラップのパッド構造において、前記第１の植毛部（１６０ａ〜１６０ｃ）と前記第２の植毛部（１７０ａ〜１７０ｃ）とが、前記ストラップ（１１０）の長手方向に沿って配置されたことを特徴とするストラップのパッド構造（１５０）である。
請求項８の発明は、請求項７に記載のストラップのパッド構造において、前記第１の植毛部（１６０ａ〜１６０ｃ）と前記第２の植毛部（１７０ａ〜１７０ｃ）との少なくとも一方は、複数が設けられ、前記第１の植毛部及び前記第２の植毛部は、前記ストラップ（１１０）の長手方向に沿って交互に配置されることを特徴とするストラップのパッド構造（１５０）である。
【０００７】
請求項９の発明は、請求項１から請求項８までの何れか１項に記載のストラップのパッド構造において、前記基部（２２０ａ）は、前記ストラップ（２２０）に設けられ、前記第１の植毛部（２６０ａ〜２６０ｃ）及び前記第２の植毛部（２７０ａ〜２７０ｃ）は、前記基部に対して着脱可能に設けられたことを特徴とするストラップのパッド構造（２５０）である。
請求項１０の発明は、請求項１から請求項９までの何れか１項に記載のストラップのパッド構造において、前記ストラップ（３１０）は、帯状に形成された本体部（３２０）を備え、前記第１の植毛部（３６０ａ、３６０ｂ）及び前記第２の植毛部（３７０ａ、３７０ｂ）は、前記基部（３５１）に支持され、前記基部は、前記本体部に対して着脱可能に設けられたことを特徴とするストラップのパッド構造（３５０）である。
【０００８】
請求項１１の発明は、ストラップ（２１０）使用時に使用者（２）の身体に対向して配置される基部（２２０ａ）と、所定の方向に延びて形成された複数の毛状部材を備えた植毛部とを含むストラップのパッド構造であって、前記植毛部は、複数が用意されるとともに、その一部（２６０ａ、２６０ｂ）の前記毛状部材の延びる向きを第１の方向（Ｂ）に向け、かつ、その他部（２７０ａ、２７０ｂ）の前記毛状部材の延びる向きを前記第１の方向とは異なる第２の方向（Ａ）に向けた状態で前記基部に対して着脱可能なことを特徴とするストラップのパッド構造（２５０）である。
請求項１２の発明は、請求項１１に記載のストラップにおいて、前記第１の方向（Ｂ）及び前記第２の方向（Ａ）は、それぞれ前記ストラップ（２１０）の幅方向に略平行な方向であることを特徴とするストラップのパッド構造（２５０）である。
【０００９】
請求項１３の発明は、ストラップ（３１０）の長手方向中間部分に設けられるストラップ用パッドであって、請求項１から請求項１２までの何れか１項に記載のストラップのパッド構造を備えることを特徴とするストラップ用パッド（３５０）である。
請求項１４の発明は、請求項１から請求項１２までの何れか１項に記載のストラップのパッド構造（５０）を備えることを特徴とするストラップ（１０）である。
なお、符号を付して説明した構成は、適宜改良してもよく、また、少なくとも一部を他の構成物に代替してもよい。
【発明の効果】
【００１０】
本発明によれば、使い勝手が向上したストラップのパッド構造、ストラップ用パッド及びストラップを提供することができる。
【発明を実施するための最良の形態】
【００１１】
［第１実施形態］
以下、図面を参照して、本発明を適用したストラップのパッド構造及びこのストラップのパッド構造を備えたストラップの実施形態について説明する。なお、以下の実施形態は、ストラップとしてカメラ用ストラップを例にとって説明する。
図１は、第１実施形態のストラップの使用例の一例を示す図であり、ストラップを使用してカメラを使用者の右肩から吊り下げた状態を示している。
図１に示すように、ストラップ１０は、全体的な形状が帯状とされ、その一端部がカメラ１の一方の側面に接続されるとともに、他方の端部がカメラ１の他方の側面に接続されている。
【００１２】
カメラ１は、前面部から突き出したレンズ鏡筒１ａを備えている。図１において、カメラ１は、背面部が使用者２の身体に対向するように使用者２の右肩から吊り下げられている。以下、この図１に示す状態を、レンズ鏡筒１ａを外側に向けた状態と称する。
【００１３】
ここで、図１において、ストラップ１０の幅方向の一方方向に矢印Ａ、矢印Ａとは反対の方向に矢印Ｂを付すとともに、ストラップ１０の長手方向の一方方向に矢印Ｃを、矢印Ｃとは反対の方向に矢印Ｄをそれぞれ付して説明する。以下、本明細書において、Ａ方向〜Ｄ方向といった場合には、上記矢印Ａ〜Ｄ方向をそれぞれさすものとする。
図１に示す状態、すなわち、レンズ鏡筒１ａを外側に向けた状態でカメラ１を使用者２の右肩から吊り下げた場合において、Ａ方向は、使用者２から見て肩から腕に向かう方向であり、Ｂ方向は、使用者２から見て肩から首に向かう方向である。また、Ｃ方向は、使用者２から見て肩から身体の正面側に向かう方向であり、Ｄ方向は、使用者２から見て肩から背中側に向かう方向である。
【００１４】
ストラップ１０は、使用者２の身体（例えば、首や肩等）に巻き掛けられる領域である巻掛部２０と、巻掛部２０の一方の端部とカメラ１との間に設けられた領域である第１接続部３０と、巻掛部２０の他方の端部とカメラ１との間に設けられた領域である第２接続部４０とを備えている。
【００１５】
巻掛部２０の幅方向寸法は、第１接続部３０及び第２接続部４０の幅方向寸法よりも大きく（広幅に）形成されている。巻掛部２０が第１接続部３０及び第２接続部４０よりも広幅なのは、使用者２に当接する面積を増やして圧力を分散し、使用感を向上させるためである。
ここで、ストラップ１０において、ストラップ１０が捻れていない状態で使用されたときに使用者２の身体に対向する面部（当接面）を裏面部と、その反対側の面部を表面部と称して説明する。
【００１６】
巻掛部２０において、使用者２の身体に対向する面部（以下、裏面部２０ａと称する）は、パッドとして機能する。パッドとは、当接対象物に対する当て物として機能するものを意味し、本実施形態のようにカメラ１を使用者２の肩や首から吊り下げる場合には、それぞれ肩当て、首当てとして機能するものを意味する。したがって、本実施形態のように、巻掛部２０とは別部材のパッドを備えないようなストラップであっても、使用時に使用者の身体に当接する部分（巻掛部２０の裏面部２０ａ）は、パッドとして機能する。
また、本明細書において、ストラップのパッド構造といった場合には、ストラップのパッド自体の構造、又は、ストラップにおいてパッドと機能する部分の構造を意味する。
【００１７】
以下、本実施形態のストラップのパッド構造５０について説明する。
図２は、図１に示すストラップを裏面側からみた平面図であり、第１実施形態のストラップのパッド構造を示している。
また、図３は、図２に示すストラップのパッド構造に備えられた第１の植毛部及び第２の植毛部を示す図である。この図３において、（ａ）はストラップを表面側から見た平面図、（ｂ）は（ａ）のｂ−ｂ矢視断面図、（ｃ）はストラップを裏面側から見た平面図、（ｄ）は（ａ）のｄ−ｄ矢視断面図である。
ストラップのパッド構造５０は、それぞれが巻掛部２０の裏面部２０ａに支持された第１の植毛部６０、及び、第２の植毛部７０を含んでいる。
【００１８】
第１の植毛部６０及び第２の植毛部７０は、複数の毛状部材６２、７２（図３参照）を含む植毛加工生地によって形成されている。この植毛加工生地に備えられた毛状部材６２、７２は、人工的に形成されたものであっても天然のものであってもよい。図２、及び、後述する図４〜６において示されている矢印Ｈは、毛状部材６２、７２の起毛の方向を示している。
第１の植毛部６０及び第２の植毛部７０を形成する植毛加工生地は、それぞれ巻掛部２０の幅方向寸法の半分よりも狭い幅方向寸法を有する帯状に形成されている。第１の植毛部６０は、ストラップ１０の幅方向中央（センターラインＣＬ）から見て幅方向の一方の領域（矢印Ａ側）に、第２の植毛部７０は他方の領域（矢印Ｂ側）に、それぞれストラップ１０の長手方向に略平行に配置されている。
【００１９】
これらの第１の植毛部６０、第２の植毛部７０は、配置が異なる以外、略同じ形状、略同じ面積を有する部材であるので、ここでは第１の植毛部６０について説明する。
第１の植毛部６０は、図３に示すように、ベース生地６１と、このベース生地６１に対して所定の方向に延びて設けられた複数の毛状部材６２とを備えている。複数の毛状部材６２の延びる方向は、概ね一定となっている。
第１の植毛部６０は、ベース生地６１が巻掛部２０の裏面部２０ａに対して、例えば、接着剤によって固定されている。巻掛部２０の裏面部２０ａは、基部として機能する。
【００２０】
以下、第１の植毛部６０及び第２の植毛部７０に含まれる毛状部材の延びる方向（起毛方向）について説明する。
第１の植毛部６０及び第２の植毛部７０に備えられた複数の毛状部材６２、７２は、図３（ｄ）に示すように、ベース生地６１、７１に対してそれぞれ略一定の角度で傾斜しており、所定の方向性を有している。
そして、図２及び図３に示すように、本第１実施形態のストラップ１０において、第１の植毛部６０に含まれる毛状部材６２の起毛の方向は、矢印Ｂ方向であり、第２の植毛部７０に含まれる毛状部材７２が延びる方向は、矢印Ａ方向となっている。すなわち、第１の植毛部６０及び第２の植毛部７０に備えられた毛状部材６２、７２は、それぞれストラップ１０のセンターラインＣＬを向いて延びている。
【００２１】
次に、第１実施形態のストラップ１０の使用時における動作を説明する。
図１に示すように、ストラップ１０を使用してカメラ１を右肩から吊り下げた場合、通常カメラ１は自重によって矢印Ａ方向、すなわち、使用者２の肩から滑り落ちる方向に移動しようとする。
ここで、本実施形態のストラップ１０は、第２の植毛部７０の毛状部材７２が基部２０ａから矢印Ａ方向に起毛して設けられており、ストラップ１０が使用者２に対してＡ方向に移動しようとすると、これらの毛状部材７２の先端部が使用者２の衣類の表面に形成された微細な凹凸（例えば、衣類を形成する糸と糸との間）に引っ掛かる。本実施形態のストラップ１０は、これによって、カメラ１が使用者２の肩から滑り落ちることを抑制する。
【００２２】
なお、第１の植毛部６０及び第２の植毛部７０に備えられた毛状部材６２、７２の長さは、それぞれ特に限定されないが、極端に長い場合には毛状部材６２、７２が寝てしまい、上記滑り止め機能を発揮できない可能性があるので、非使用時には毛状部材６２、７２が起毛した状態となる程度の長さに形成することが望ましい。また、毛状部材６２、７２の密度も特に限定されないが、例えば、獣毛等と同程度とするとよい。なお、図３（ｃ）は、理解を容易にするために毛状部材６２、７２の密度を粗にして示しているが、実際には、平面視でベース生地６１、７１が視認できない程度に密であることが好ましい。
【００２３】
次に、図１に示す吊り下げ状態（非使用状態）からカメラ１を構えた撮影状態（図示省略）に移行する際の動作を説明する。
カメラ１は、ファインダを用いて撮影を行う場合には使用者２（撮影者）の顔の前に配置され、背面表示部に表示されるスルー画像を参照しながら撮影する場合であっても、通常、使用者２の身体の正面に配置される。したがって、図１に示す場合から撮影状態に移行する際、ストラップ１０は、使用者２の肩に対して矢印Ｄ方向に摺動する。
【００２４】
ここで、図２及び図３に示すように、第１の植毛部６０及び第２の植毛部７０に備えられた毛状部材６２、７２は、それぞれ起毛の方向がストラップ１０の幅方向となっているので、ストラップ１０がその長手方向に使用者２に対して摺動する場合には、上述のように、毛状部材６２、７２の先端部が使用者２の衣類に引っ掛かるといったことがない。
【００２５】
以上説明した第１実施形態のストラップ１０によれば、以下の効果を得ることができる。
（１）第１実施形態のストラップ１０は、図１に示すようにカメラ１を肩から吊り下げた状態では、第２の植毛部７０の毛状部材７２が使用者２の衣類に引っ掛かるので、カメラ１が肩から滑り落ちることが抑制され、使い勝手がよい。また、図１に示す吊り下げ状態から撮影状態への移行時は、毛状部材６２、７２が衣類に引っ掛かることがないので、撮影をスムーズに行うことができ、使い勝手がよい。
（２）第２の植毛部７０の毛状部材７２とは反対方向（Ｂ方向）に起毛した毛状部材６２を備える第１の植毛部６０を設けたので、図１とは反対に、レンズ鏡筒１ａを身体の内側に向けてカメラ１を右肩から吊り下げた状態（図示省略）でも、カメラ１が使用者２の肩から滑り落ちることを抑制できる。また、レンズ鏡筒１ａを外側に向けて左肩から吊り下げた場合、及び、レンズ鏡筒１ａを内側に向けて左肩から吊り下げた場合であっても、それぞれ同様にカメラ１が使用者２の肩から滑り落ちることを抑制できる。
（３）第１の植毛部６０及び第２の植毛部７０を、略同じ面積を有し、略同じ形状を有する部材としたので、カメラ１の向き（鏡筒外向き、鏡筒内向き）に関わらず、同程度の滑り止め効果を発揮することができる。
（４）ストラップ１０を使用して図１に示すようにカメラ１を肩から吊り下げる場合、使用者２の肩は、体型にもよるが水平になるとは限らず、通常は、腕に近い領域よりも首に近い領域の方が位置が高い傾斜面となる。このような傾斜面にストラップ１０を巻き掛けた場合、ストラップ１０は、センターラインＣＬよりも首に近い領域（矢印Ｂ側）では使用者２の身体に密着するが、腕に近い領域（矢印Ａ側）では密着度が低下する可能性がある。
これに対し、本第１実施形態のストラップ１０は、毛状部材６２、７２がそれぞれストラップ１０のセンターラインＣＬを向くように設けたので、センターラインＣＬよりも使用者２の首に近い側の領域に設けられた毛状部材７２が、カメラ１が滑り落ちようとする方向（Ａ方向）を向いて起毛している。したがって、カメラ１が使用者２の肩から滑り落ちることを確実に抑制できる。
【００２６】
［第２実施形態］
次に、本発明を適用したストラップ等の第２実施形態について説明する。この第２実施形態及び後述するその他の実施形態において、上述した第１実施形態と同様な機能を果たす部分には、同一の符号又は末尾に統一した符号を付して、重複する説明や図面を適宜省略するものとする。
図４は、第２実施形態のストラップの裏面部を示す平面図である。
第２実施形態のストラップ１１０は、毛状部材１６２ａ〜１６２ｃが基部１２０ａからＢ方向に延びる第１の植毛部１６０ａ〜１６０ｃと、毛状部材１７２ａ〜１７２ｃが基部１２０ａからＡ方向に延びる第２の植毛部１７０ａ〜１７０ｃとを備えている（毛状部材１６２ａ〜１６２ｃ及び毛状部材１７２ａ〜１７２ｃは、図示を省略する）。
第１の植毛部１６０ａ〜１６０ｃ及び第２の植毛部１７０ａ〜１７０ｃは、その平面形がそれぞれ正方形である点を除き、第１実施形態の第１の植毛部６０を形成する植毛加工生地と同じ生地によって形成されている。
【００２７】
第１の植毛部１６０ａ〜１６０ｃ、第２の植毛部１７０ａ〜１７０ｃは、それぞれストラップ１１０の長手方向に沿って矢印Ｃ方向に第２の植毛部１７０ａ、第１の植毛部１６０ａ、第２の植毛部１７０ｂ、第１の植毛部１６０ｂ、第２の植毛部１７０ｃ、第１の植毛部１６０ｃの順番、すなわち、毛状部材１６２、１７２の起毛方向が、ストラップ１１０の長手方向に沿って交互となるように配置されている。
【００２８】
以上説明した第２実施形態のストラップは、第１実施形態のストラップ１０の効果に加え、以下の効果を得ることができる。
第２実施形態のストラップ１１０は、Ｂ方向、Ａ方向にそれぞれ延びる毛状部材１６２、１７２が、ストラップ１１０の長手方向に交互に配置されているので、仮にストラップ１１０がセンターラインＣＬからみて一方の領域しか使用者に当接していない場合であっても、カメラ１が使用者２の肩から滑り落ちることを抑制できる。
【００２９】
［第３実施形態］
次に本発明を適用したストラップ等の第３実施形態について説明する。
図５は、第３実施形態のストラップを裏面部側からみた斜視図である。
第３実施形態のストラップ２１０は、第２実施形態のストラップの変形形態であって、第１の植毛部２６０ａ〜２６０ｃ、第２の植毛部２７０ａ〜２７０ｃが巻掛部２２０の裏面部２２０ａに対して着脱可能になっている。
【００３０】
第１の植毛部２６０ａ〜２６０ｃ、第２の植毛部２７０ａ〜２７０ｃを形成する植毛加工生地のベース生地２６１、２７１（図示省略）は、巻掛部２２０の裏面部２２０ａに対して、平面ファスナによって着脱可能に設けられている（平面ファスナは、図示を省略する）。
第３実施形態のストラップ２１０は、第１の植毛部２６０ａ〜２６０ｃ、第２の植毛部２７０ａ〜２７０ｃに備えられた各毛状部材（図示省略）を任意の方向に向けることができるので、滑り止めの効き具合を任意に調整できる。
【００３１】
例えば、図５において、第１の植毛部２６０ａ〜２６０ｃの毛状部材はＢ方向、第２の植毛部２７０ａ〜２７０ｃに備えられた毛状部材はＡ方向にそれぞれ起毛しているが（矢印Ｈ参照）、例えば、第２の植毛部２７０ｂの装着方向を変更して毛状部材の起毛方向をＢ方向とすれば、Ａ方向への滑り止め効果を弱めることができる一方で、Ｂ方向への滑り止め効果を強くすることができる。このとき、第１植毛部２６０ａ〜ｃ、第２植毛部２７０ａ〜ｃをそれぞれ複数（本実施形態では、例えば、合計６つ）設けたので、滑り止め効果の微調整を容易に行うことができる。また、例えば、全ての毛状部材の起毛方向をＡ方向に向けて、Ｂ方向への滑り止め機能を抑制することもできる。
さらに、毛状部材の起毛方向をＣ方向又はＤ方向に向けることもできるので、ストラップ２１０の長手方向に滑り止め機能を発揮させることもできる。また、全ての植毛部をストラップ２１０から取り外すこともできるので、何れの方向にも滑り止め機能を発揮させないこともできる。
【００３２】
［第４実施形態］
次に本発明を適用したストラップ用パッドの実施形態について説明する。
図６は、第４実施形態のストラップ用パッド及びストラップを裏面部側からみた分解斜視図である。
第４実施形態のストラップ用パッド３５０（以下、単にパッド３５０という）は、ストラップ３１０の巻掛部３２０に対して着脱可能に装着されるものである。
パッド３５０は、ベース部３５１、及び、第１の植毛部３６０ａ、３６０ｂ、及び、第２の植毛部３７０ａ、３７０ｂを備えている。
ベース部３５１は、例えば、ゴム等の弾性変形可能な材料で形成された成型品である。ベース部３５１は、矩形の板状に形成され、巻掛部３２０の裏面部３２０ａに対向して配置される対向部３５１ａと、対向部３５１ａの幅方向両端部のそれぞれがストラップ３１０の厚さ方向に屈曲して形成された一対の垂直突出部３５１ｂ、３５１ｃと、これらの垂直突出部３５１ｂ、３５１ｃの先端部がそれぞれストラップ３１０の幅方向内側に屈曲して形成された一対の平行突出部３５１ｄ、３５１ｅとを備えている。
ベース部３５１は、対向部３５１ａと平行突出部３５１ｄ、３５１ｅとの間に巻掛部３２０を挟み込むことによって、巻掛部３２０に着脱可能に装着される。
【００３３】
第１の植毛部３６０ａ、３６０ｂ、及び、第２の植毛部３７０ａ、３７０ｂは、第１実施形態と同様の植毛加工生地によって形成され、毛状部材（図示省略）の設けられていない面部がベース部３５１に対して、例えば、接着剤によって固定されている。
第１の植毛部３６０ａ、３６０ｂ、及び、第２の植毛部３７０ａ、３７０ｂのうち、第１の植毛部３６０ａ、３６０ｂに備えられた毛状部材の延びる方向は、Ｂ方向であり、第２の植毛部３７０ａ、３７０ｂに備えられた毛状部材の延びる方向は、Ａ方向である。第１の植毛部３６０ａ、３６０ｂ、第２の植毛部３７０ａ、３７０ｂは、ストラップ３１０の長手方向に沿ってＣ方向に第２の植毛部３７０ａ、第１の植毛部３６０ａ、第２の植毛部３７０ｂ、第１の植毛部３６０ｂの順番で配置されている。
【００３４】
この第４実施形態のパッド３５０は、巻掛部３２０に対して着脱可能となっているので、既存のストラップにも装着することができ、この既存のストラップに容易に滑り止め機能を備えさせることができる。
【００３５】
［変形形態］
本発明は、以上説明した実施形態に限定されることなく、種々の変形や変更が可能であって、それらも本発明の技術的範囲内に含まれる。
（１）本発明を適用したストラップのパッド構造、ストラップ用パッド及びストラップの構成は、実施形態に記載したものに限らず適宜変更が可能である。例えば、第１の植毛部及び第２の植毛部の数は、実施形態に記載したものに限られない。例えば、第２実施形態では、第１の植毛部と第２の植毛部とがそれぞれ３つずつ設けられたが、これらは、例えば、３つ未満であっても４つ以上であってもよい。また、第１の植毛部と第２の植毛部との数が同じでなくてもよい。
（２）実施形態の第１の植毛部及び第２の植毛部は、その形状、面積がそれぞれ略同じであったが、これに限らず、一方の植毛部の面積を他方の植毛部よりも広くして、滑り止め効果の効きに差が出るようにしてもよい。また、植毛部の形状や、毛状部材の素材、密度等によって、滑り止め効果の効きに差を付けてもよい。
（３）第３実施形態は、巻掛部の裏面部（基部）に対して着脱可能である点を除き、第２実施形態のストラップと同様の植毛部を備えていたが、これに限らず、第１実施形態と同様に帯状に形成された２つの植毛部（第１の植毛部、第２の植毛部）を巻掛部の裏面部に対して着脱可能にしてもよい。
（４）第４実施形態は、正方形状の植毛部がストラップの長手方向に交互に配置される構成であったが、植毛部の形状、配置はこれに限らず、例えば、第１実施形態の植毛部と同様の形状、配置であってもよい。
（５）第４実施形態は、第１植毛部及び第２植毛部がベース部に固定されていたが、これに限らず、例えば、第３実施形態と同様に、第１植毛部及び第２植毛部をベース部に対して着脱可能にしてもよい。
（６）第１実施形態のような帯状の植毛加工生地を、例えば、３枚以上設け、これらを毛状部材の起毛の向きが交互となるように、ストラップの幅方向に沿って配置してもよい。
（７）実施形態のストラップは、カメラに装着されたが、ストラップが装着される装着対象物は、これに限られない。例えば、装着対象物は、双眼鏡等の他の光学機器であってもよいし、鞄や楽器等の光学機器以外の物であってもよい。
【図面の簡単な説明】
【００３６】
【図１】第１実施形態のストラップの使用例の一例を示す図である。
【図２】図１に示すストラップのパッド構造を示す平面図である。
【図３】図２に示すストラップのパッド構造に備えられた第１の植毛部及び第２の植毛部を示す図である。
【図４】第２実施形態のストラップの裏面部を示す平面図である。
【図５】第３実施形態のストラップを裏面部側からみた斜視図である。
【図６】第４実施形態のストラップ及びパッドを裏面部側からみた斜視図である。
【符号の説明】
【００３７】
１０  ストラップ  ：  ２０  巻掛部  ：  ２０ａ  裏面部  ：  ５０  ストラップのパッド構造  ：  ６０  第１の植毛部  ：  ６２  毛状部材  ：  ７０  第２の植毛部  
：  ７２  毛状部材
【図１】
2009050608.tif 000003
【図２】
2009050608.tif 000004
【図３】
2009050608.tif 000005
【図４】
2009050608.tif 000006
【図５】
2009050608.tif 000007
【図６】
2009050608.tif 000008